(57)【要約】【課題】２つの印刷部を有する印刷装置により両面印刷を行う場合に、常に２つの印刷部により表面と裏面の印刷をそれぞれ行う場合と比較して、表面と裏面の印刷状態の差を目立ち難くする。【解決手段】  印刷エンジンＡ３１、印刷エンジンＢ３２は、それぞれ、用紙の表面および裏面に対する印刷が可能な構成となっている。この印刷エンジンＡ３１、印刷エンジンＢ３２の切り替え制御を行うコントローラでは、印刷ジョブに含まれる画像データにおけるイメージ画像の割合、カラー画像の割合、黒ベタ領域、細線またはハーフトーン領域のいずれかの割合が所定値以上であるか否かを判定する。そして、コントローラでは、この判定結果に基づいて、印刷エンジンＡ３１または印刷エンジンＢ３２の一方により両面印刷を行うのか、印刷エンジンＡ３１および印刷エンジンＢ３２の両方により両面印刷を行うのかを切り替える。【選択図】図２
2011197862.tif 000002
【特許請求の範囲】
【請求項１】
用紙の表面および裏面に対する印刷が可能な第１の印刷部と、
用紙の表面および裏面に対する印刷が可能な第２の印刷部と、
印刷要求に含まれる画像データの描画内容を判定する判定手段と、
前記判定手段における判定結果に基づいて、前記第１の印刷部または前記第２の印刷部の一方により両面印刷を行うのか、前記第１の印刷部および前記第２の印刷部の両方により両面印刷を行うのかを切り替える切替制御手段と、
を備えた印刷システム。
【請求項２】
前記切替制御手段は、前記画像データにおけるイメージ画像の割合が所定値以上の場合に、前記第１の印刷部または前記第２の印刷部の一方により両面印刷を行うような切り替えを行う請求項１記載の印刷システム。
【請求項３】
前記切替制御手段は、前記画像データにおけるカラー画像の割合が所定値以上の場合に、前記第１の印刷部または前記第２の印刷部の一方により両面印刷を行うような切り替えを行う請求項１記載の印刷システム。
【請求項４】
前記切替制御手段は、前記画像データにおける黒ベタ領域、細線またはハーフトーン領域のいずれかの割合が所定値以上の場合に、前記第１の印刷部または前記第２の印刷部の一方により両面印刷を行うような切り替えを行う請求項１記載の印刷システム。
【請求項５】
前記切替制御手段は、印刷要求により指定された印刷条件が、印刷位置がずれた場合に目立ち易いものとして予め設定されている条件の場合に、前記第１の印刷部または前記第２の印刷部の一方により両面印刷を行うような切り替えを行う請求項１記載の印刷システム。
【請求項６】
前記第１および第２の印刷部の印刷特性を設定するための設定手段をさらに備え、
前記切替制御手段は、前記設定手段により設定された前記第１および第２の印刷部の印刷特性および前記判定手段における判定結果に基づいて、前記第１の印刷部または前記第２の印刷部の一方により両面印刷を行う場合に、前記第１の印刷部または前記第２の印刷部のどちらの印刷部によって両面印刷を行うのかを切り替える請求項１から５のいずれか１項記載の印刷システム。
【請求項７】
受信した印刷要求を格納する格納手段をさらに備え、
前記切替制御手段は、前記格納手段に格納されている印刷要求の量および前記判定手段における判定結果に基づいて、前記第１の印刷部または前記第２の印刷部の一方により両面印刷を行うのか、前記第１の印刷部および前記第２の印刷部の両方により両面印刷を行うのかを切り替える請求項１から６のいずれか１項記載の印刷システム。
【請求項８】
印刷要求に含まれる画像データの描画内容を判定する判定手段と、
前記判定手段における判定結果に基づいて、用紙の表面および裏面に対する印刷が可能な第１の印刷部または、用紙の表面および裏面に対する印刷が可能な第２の印刷部の一方により両面印刷を行うのか、前記第１の印刷部および前記第２の印刷部の両方により両面印刷を行うのかを切り替える切替制御手段と、
を備えた印刷制御装置。
【請求項９】
印刷要求に含まれる画像データの描画内容を判定する判定ステップと、
前記判定ステップにおける判定結果に基づいて、用紙の表面および裏面に対する印刷が可能な第１の印刷部または、用紙の表面および裏面に対する印刷が可能な第２の印刷部の一方により両面印刷を行うのか、前記第１の印刷部および前記第２の印刷部の両方により両面印刷を行うのかを切り替える切替制御ステップとをコンピュータに実行させるためのプログラム。
【発明の詳細な説明】
【技術分野】
【０００１】
本発明は、印刷制御装置、印刷システムおよびプログラムに関する。
【背景技術】
【０００２】
特許文献１には、２つの印刷部を有する両面印刷装置において、印刷位置調整を別々に行えるようにした構成が開示されている。
【先行技術文献】
【特許文献】
【０００３】
【特許文献１】特開２００７−９８７３９号公報
【発明の概要】
【発明が解決しようとする課題】
【０００４】
本発明の目的は、２つの印刷部を有する印刷装置により両面印刷を行う場合に、常に２つの印刷部により表面と裏面の印刷をそれぞれ行う場合と比較して、表面と裏面の印刷状態の差を目立ち難くすることが可能な印刷制御装置、印刷システムおよびプログラムを提供することである。
【課題を解決するための手段】
【０００５】
［印刷システム］
請求項１に係る本発明は、用紙の表面および裏面に対する印刷が可能な第１の印刷部と、
用紙の表面および裏面に対する印刷が可能な第２の印刷部と、
印刷要求に含まれる画像データの描画内容を判定する判定手段と、
前記判定手段における判定結果に基づいて、前記第１の印刷部または前記第２の印刷部の一方により両面印刷を行うのか、前記第１の印刷部および前記第２の印刷部の両方により両面印刷を行うのかを切り替える切替制御手段とを備えた印刷システムである。
【０００６】
請求項２に係る本発明は、前記切替制御手段が、前記画像データにおけるイメージ画像の割合が所定値以上の場合に、前記第１の印刷部または前記第２の印刷部の一方により両面印刷を行うような切り替えを行う請求項１記載の印刷システムである。
【０００７】
請求項３に係る本発明は、前記切替制御手段が、前記画像データにおけるカラー画像の割合が所定値以上の場合に、前記第１の印刷部または前記第２の印刷部の一方により両面印刷を行うような切り替えを行う請求項１記載の印刷システムである。
【０００８】
請求項４に係る本発明は、前記切替制御手段が、前記画像データにおける黒ベタ領域、細線またはハーフトーン領域のいずれかの割合が所定値以上の場合に、前記第１の印刷部または前記第２の印刷部の一方により両面印刷を行うような切り替えを行う請求項１記載の印刷システムである。
【０００９】
請求項５に係る本発明は、前記切替制御手段が、印刷要求により指定された印刷条件が、印刷位置がずれた場合に目立ち易いものとして予め設定されている条件の場合に、前記第１の印刷部または前記第２の印刷部の一方により両面印刷を行うような切り替えを行う請求項１記載の印刷システムである。
【００１０】
請求項６に係る本発明は、前記第１および第２の印刷部の印刷特性を設定するための設定手段をさらに備え、
前記切替制御手段は、前記設定手段により設定された前記第１および第２の印刷部の印刷特性および前記判定手段における判定結果に基づいて、前記第１の印刷部または前記第２の印刷部の一方により両面印刷を行う場合に、前記第１の印刷部または前記第２の印刷部のどちらの印刷部によって両面印刷を行うのかを切り替える請求項１から５のいずれか１項記載の印刷システムである。
【００１１】
請求項７に係る本発明は、受信した印刷要求を格納する格納手段をさらに備え、
前記切替制御手段は、前記格納手段に格納されている印刷要求の量および前記判定手段における判定結果に基づいて、前記第１の印刷部または前記第２の印刷部の一方により両面印刷を行うのか、前記第１の印刷部および前記第２の印刷部の両方により両面印刷を行うのかを切り替える請求項１から６のいずれか１項記載の印刷システムである。
【００１２】
［印刷制御装置］
請求項８に係る本発明は、印刷要求に含まれる画像データの描画内容を判定する判定手段と、
前記判定手段における判定結果に基づいて、用紙の表面および裏面に対する印刷が可能な第１の印刷部または、用紙の表面および裏面に対する印刷が可能な第２の印刷部の一方により両面印刷を行うのか、前記第１の印刷部および前記第２の印刷部の両方により両面印刷を行うのかを切り替える切替制御手段とを備えた印刷制御装置である。
【００１３】
［プログラム］
請求項９に係る本発明は、印刷要求に含まれる画像データの描画内容を判定する判定ステップと、
前記判定ステップにおける判定結果に基づいて、用紙の表面および裏面に対する印刷が可能な第１の印刷部または、用紙の表面および裏面に対する印刷が可能な第２の印刷部の一方により両面印刷を行うのか、前記第１の印刷部および前記第２の印刷部の両方により両面印刷を行うのかを切り替える切替制御ステップとをコンピュータに実行させるためのプログラムである。
【発明の効果】
【００１４】
請求項１に係る本発明によれば、２つの印刷部を有する印刷装置により両面印刷を行う場合に、常に２つの印刷部により表面と裏面の印刷をそれぞれ行う場合と比較して、表面と裏面の印刷状態の差を目立ち難くすることが可能な印刷システムを提供できるという効果が得られる。
【００１５】
請求項２に係る本発明によれば、２つの印刷部を有する印刷装置により両面印刷を行う場合に、常に２つの印刷部により表面と裏面の印刷をそれぞれ行う場合と比較して、表面と裏面のイメージ画像の印刷状態の差を目立ち難くすることが可能な印刷システムを提供できるという効果が得られる
【００１６】
請求項３に係る本発明によれば、２つの印刷部を有する印刷装置により両面印刷を行う場合に、常に２つの印刷部により表面と裏面の印刷をそれぞれ行う場合と比較して、表面と裏面のカラー画像の印刷状態の差を目立ち難くすることが可能な印刷システムを提供できるという効果が得られる
【００１７】
請求項４に係る本発明によれば、２つの印刷部を有する印刷装置により両面印刷を行う場合に、常に２つの印刷部により表面と裏面の印刷をそれぞれ行う場合と比較して、表面と裏面の黒ベタ、細線またはハーフトーンの印刷状態の差を目立ち難くすることが可能な印刷システムを提供できるという効果が得られる
【００１８】
請求項５に係る本発明によれば、２つの印刷部を有する印刷装置により両面印刷を行う場合に、常に２つの印刷部により表面と裏面の印刷をそれぞれ行う場合と比較して、表面と裏面の印刷位置ずれの差を目立ち難くすることが可能な印刷システムを提供できるという効果が得られる
【００１９】
請求項６に係る本発明によれば、第１および第２の印刷部のうち印刷しようとする印刷ジョブにより適した印刷部を選択して印刷することが可能な印刷システムを提供できるという効果が得られる
【００２０】
請求項７に係る本発明によれば、２つの印刷部を有する印刷装置により両面印刷を行う場合に、印刷待ちの印刷要求が処理されるまでの時間が長くなって生産性を悪化させないようにしつつ、常に２つの印刷部により表面と裏面の印刷をそれぞれ行う場合と比較して、表面と裏面の印刷状態の差を目立ち難くすることが可能な印刷システムを提供できるという効果が得られる。
【００２１】
請求項８に係る本発明によれば、２つの印刷部を有する印刷装置により両面印刷を行う場合に、常に２つの印刷部により表面と裏面の印刷をそれぞれ行う場合と比較して、表面と裏面の印刷状態の差を目立ち難くすることが可能な印刷制御装置を提供できるという効果が得られる
【００２２】
請求項９に係る本発明によれば、２つの印刷部を有する印刷装置により両面印刷を行う場合に、常に２つの印刷部により表面と裏面の印刷をそれぞれ行う場合と比較して、表面と裏面の印刷状態の差を目立ち難くすることが可能なプログラムを提供できるという効果が得られる。
【図面の簡単な説明】
【００２３】
【図１】本発明の一実施形態の印刷システムのシステム構成を示す図である。
【図２】本発明の一実施形態における印刷装置３０の構成を説明するための図である。
【図３】本発明の一実施形態におけるコントローラ１０のハードウェア構成を示すブロック図である。
【図４】本発明の一実施形態におけるコントローラ１０の機能構成を示すブロック図である。
【図５】印刷エンジンの特性設定画面の一例を示す図である。
【図６】本発明の一実施形態の印刷システムにおける印刷エンジンの切替動作を示すフローチャートである。
【発明を実施するための形態】
【００２４】
次に、本発明の実施の形態について図面を参照して詳細に説明する。
図１は本発明の一実施形態の印刷システムのシステム構成を示す図である。
【００２５】
本発明の一実施形態の印刷システムは、図１に示されるように、印刷装置３０と、コントローラ（印刷制御装置）１０、端末装置２０とから構成されている。コントローラ１０は、印刷装置３０に接続され、この印刷装置３０の動作を制御する。そして、端末装置２０とコントローラ１０とはネットワークにより接続されている。
【００２６】
印刷装置３０には、それぞれ独立して用紙の表面および裏面に対する印刷が可能な印刷エンジン（印刷部）Ａ３１、印刷エンジンＢ３２が備えられている。そのため、印刷エンジンＡ３１のみにより用紙の両面に印刷することも、印刷エンジンＢ３２のみにより用紙の両面に印刷することも可能である。当然ながら、印刷エンジンＡ３１により用紙の表面を印刷し、印刷エンジンＢ３２により用紙の裏面を印刷することも可能である。
【００２７】
本実施形態の印刷装置３０は、両面印刷における印刷速度の向上を目的として、２つの印刷エンジンＡ３１、印刷エンジンＢ３２を２つ直列に接続して、用紙の表面・裏面をそれぞれの印刷エンジンで分割する重連（タンデム）方式のプリンタである。
【００２８】
次に、本実施形態の印刷装置３０の構成を図２を参照して説明する。
印刷装置３０は、図２に示されるように、それぞれ用紙の表面および裏面に対する印刷が可能な印刷エンジンＡ３１、印刷エンジンＢ３２、給紙トレイ３３、排紙トレイ３４を備えている。
【００２９】
印刷エンジンＡ３１は、給紙トレイ３３から給紙された用紙に対して、表面、裏面のうちコントローラ１０により指定された面に対する印刷を行う。印刷エンジンＢ３２は、印刷エンジンＡ３１により印刷が行われた後の用紙に対して、印刷エンジンＡと同様に、表面、裏面のうちコントローラ１０により指定された面に対する印刷を行って排紙トレイ３４に排紙する。
【００３０】
次に、この印刷エンジンＡ３１、印刷エンジンＢ３２の構成について図面を参照して説明する。
【００３１】
印刷エンジンＡ３１、印刷エンジンＢ３２は、図２に示されるように、それぞれ、画像形成ユニット４１と、用紙反転部４２と、切替部４３と、両面パス４４とを備えている。
【００３２】
画像形成ユニット４１は、回転ドラム、帯電装置、現像器等により構成され、搬送路上を搬送されてきた用紙に対して画像を形成することにより印刷を行う。用紙反転部４２は、搬送路上の用紙を反転することが可能な機構を有している。切替部４３は、搬送路上の用紙を後段の装置にそのまま搬送するのか、両面パス４４に流すのかを切り替えることができる構成となっている。両面パス４４は、切替部４３からの用紙を画像形成ユニット４１の入力側まで搬送するための搬送経路である。
【００３３】
例えば、印刷エンジンＡ３１において表面・裏面の両面印刷を行う場合、給紙トレイ３３から給紙された用紙に対して画像形成ユニット４１において表面に対する印刷が行われた後、用紙反転部４２において用紙の反転を行い切替部４３において両面パス４４側に搬送する。すると、両面パス４４上を搬送された用紙は、再度画像形成ユニット４１に入り、今度は裏面に対する印刷が行われる。その後、切替部４３では、表面と裏面の両方の印刷が行われた後の用紙を印刷エンジンＢ３２に搬送し、印刷エンジンＢ３２では印刷処理を実行せずに排紙トレイ３４に排紙する。
【００３４】
また、印刷エンジンＢ３２において表面・裏面の両面印刷を行う場合には、印刷エンジンＡ３１では印刷を行わないようにして、印刷エンジンＢ３２において上記で説明したのと同様な流れにより表面および裏面の印刷が行われる。
【００３５】
なお、本実施形態の印刷装置３０では、印刷速度を重視するような通常の状態では、印刷エンジンＡ３１、印刷エンジンＢ３２で、それぞれ、表面、裏面を分担して印刷処理が行われる。しかし、印刷装置３０は、上記で説明したような構成となっていることにより、モードを切り替えることにより、印刷エンジンＡ３１のみで両面印刷を行うことや印刷エンジンＢ３２のみで両面印刷を行うことが可能となる。
【００３６】
次に、本実施形態の印刷システムにおけるコントローラ１０のハードウェア構成を図３に示す。
【００３７】
コントローラ１０は、図３に示されるように、ＣＰＵ１１、メモリ１２、ハードディスクドライブ（ＨＤＤ）等の記憶装置１３、ネットワークを介して端末装置２０等との間でデータの送信及び受信を行う通信インタフェース（ＩＦ）１４、タッチパネル又は液晶ディスプレイ並びにキーボードを含むユーザインタフェース（ＵＩ）装置１５を有する。これらの構成要素は、制御バス１６を介して互いに接続されている。
【００３８】
ＣＰＵ１１は、メモリ１２または記憶装置１３に格納された制御プログラムに基づいて所定の処理を実行して、コントローラ１０の動作を制御する。なお、本実施形態では、ＣＰＵ１１は、メモリ１２または記憶装置１３内に格納された制御プログラムを読み出して実行するものとして説明したが、当該プログラムをＣＤ−ＲＯＭ等の記憶媒体に格納してＣＰＵ１１に提供することも可能である。
【００３９】
図４は、上記の制御プログラムが実行されることにより実現されるコントローラ１０の機能構成を示すブロック図である。
【００４０】
本実施形態のコントローラ１０は、図４に示されるように、印刷ジョブ受信部２１と、印刷ジョブ格納部２２と、画像処理部２３と、判定部２４と、設定部２５と、表示装置２６と、切替制御部２７と、制御Ｉ／Ｆ部２８とを備えている。
【００４１】
印刷ジョブ受信部２１は、端末装置２０から送信されてきた印刷ジョブ（印刷要求）を受信する。印刷ジョブ受信部２１により受信された印刷ジョブは、印刷ジョブ格納部２２に格納される。
【００４２】
画像処理部２３は、印刷ジョブ格納部２２に格納された印刷ジョブに含まれる画像データを、ＣＭＹＫ各色毎の印刷データに展開する展開処理や、画像の拡大・縮小等の他の画像処理を行う。
【００４３】
判定部２４は、印刷ジョブに含まれる画像データの描画内容を判定する。具体的には、判定部２４は、画像データにおけるイメージ画像（グラフィック画像を含む）の割合が所定値以上であるか否かを判定する。また、判定部２４は、画像データにおけるカラー画像の割合が所定値以上であるか否かを判定する。さらに、判定部２４は、画像データにおける黒ベタ領域、細線またはハーフトーン領域のいずれかの割合が所定値以上であるか否かを判定する。
【００４４】
設定部２５は、印刷エンジンＡ３１および印刷エンジンＢ３２の印刷特性を設定するための設定手段として機能する。この設定部２５により行われる印刷エンジンの特性設定画面の一例を図５に示す。
【００４５】
この図５では、印刷エンジンの印刷特性を設定するための項目と、その項目の条件については印刷エンジンＡ３１、印刷エンジンＢ３２のいずれの印刷エンジンの方が適しているのかが設定可能となっている。例えば、図５に示した例では、「細線の描画に適しているのは」という項目に対して、印刷エンジンＡ３１が設定されており、ユーザは印刷エンジンＡ３１の方が印刷エンジンＢ３２よりも細線の描画に適していると判断していることが分かる。
【００４６】
なお、図５においてチェックボックスにチェックが入っていない項目については、いずれの印刷エンジンの方が適しているのかについては未設定であることを示している。つまり、図５に示した例では、黒ベタやハーフトーンの印刷状態については重要視しないような設定がされており、黒ベタやハーフトーンの割合が所定値以上の印刷ジョブについては、印刷エンジンＡ３１、印刷エンジンＢ３２のいずれで印刷されても良いという設定がされていることになる。
【００４７】
制御Ｉ／Ｆ部２８は、印刷装置３０との間でデータの送受信を行い印刷装置３０に対する制御を行うためのインタフェースである。切替制御部２７は、制御Ｉ／Ｆ部２８を介して、印刷装置３０に対する印刷エンジンＡ３１、印刷エンジンＢ３２の切り替え制御を行う。
【００４８】
切替制御部２７は、判定部２４における判定結果に基づいて、印刷エンジンＡ３１または印刷エンジンＢ３２の一方により両面印刷を行うのか、印刷エンジンＡ３１および印刷エンジンＢ３２の両方により両面印刷を行うのかを切り替える。
【００４９】
具体的には、切替制御部２７は、画像データにおけるイメージ画像の割合が所定値以上である場合に、印刷エンジンＡ３１または印刷エンジンＢ３２の一方により両面印刷を行うような切り替えを行う。また、切替制御部２７は、画像データにおけるカラー画像の割合が所定値以上の場合に、印刷エンジンＡ３１または印刷エンジンＢ３２の一方により両面印刷を行うような切り替えを行う。
【００５０】
さらに、切替制御部２７は、画像データにおける黒ベタ領域、細線またはハーフトーン領域のいずれかの割合が所定値以上の場合に、印刷エンジンＡ３１または印刷エンジンＢ３２の一方により両面印刷を行うような切り替えを行う。
【００５１】
また、切替制御部２７は、印刷ジョブにより指定された印刷条件が、印刷位置がずれた場合に目立ち易いものとして予め設定されている条件の場合に、印刷エンジンＡ３１または印刷エンジンＢ３２の一方により両面印刷を行うような切り替えを行う。
【００５２】
ここで、印刷位置がずれた場合に目立ち易いものとして予め設定されている条件とは、具体的には、枠のあるフォームを使用しているか否か、用紙の端付近にページ番号を印字しているか否か、いわゆる２アップのような集約印刷、面付け処理を行っているか否か、製本等の処理を行っているか否か等の条件が挙げられる。
【００５３】
さらに、切替制御部２７は、設定部２５により設定された印刷エンジンＡ３１、印刷エンジンＢ３２の印刷特性および判定部２４における判定結果に基づいて、印刷エンジンＡ３１または印刷エンジンＢ３２の一方により両面印刷を行う場合に、印刷エンジンＡ３１または印刷エンジンＢ３２のどちらの印刷エンジンによって両面印刷を行うのかを切り替えるようにしてもよい。
【００５４】
さらに、切替制御部２７は、印刷ジョブ格納部２２に格納されている印刷ジョブの量および判定部２４における判定結果に基づいて、印刷エンジンＡ３１または印刷エンジンＢ３２の一方により両面印刷を行うのか、印刷エンジンＡ３１および印刷エンジンＢ３２の両方により両面印刷を行うのかを切り替えるようにしてもよい。
【００５５】
次に、本実施形態の印刷システムにおける動作を図面を参照して詳細に説明する。
本実施形態の印刷システムにおける印刷エンジンの切替動作の処理の流れを図６のフローチャートに示す。
【００５６】
まず、切替制御部２７は、印刷エンジンＡ３１に対するスコアＳＡおよび印刷エンジンＢ３２に対するスコアＳＢを初期化して０クリアする（ステップＳ１０１）。そして、図５に示した印刷特性の設定項目の中から、１番目の項目を選択する（ステップＳ１０２）。図５に示した例では、「細線の描画に適しているのは」という項目が選択される。
【００５７】
そして、選択された項目のチェックボックスにチェックがあるか否かが判定され（ステップＳ１０３）、チェックが無い場合には次ぎの項目の有無が判定される（ステップＳ１０８）。そして、次の項目があれば、その次の項目が選択される（ステップＳ１０９）。
【００５８】
ステップＳ１０３において、選択された項目のチェックボックスにチェックが有ると判定された場合、判定部２４は、印刷しようとする印刷ジョブは、その選択された項目に対応する条件に該当するか否かを判定する（ステップＳ１０４）。具体的には、判定部２４は、「細線の描画に適しているのは」という項目が選択されている場合、印刷ジョブに含まれる画像データ中の細線の割合が所定値以上であるか否かを判定する。
【００５９】
そして、ステップＳ１０４において印刷ジョブが選択された項目に対応する条件に該当するかと判定された場合、切替制御部２７は、印刷エンジンＡ３１が優先指定されているのか印刷エンジンＢ３２が優先指定されているのかを判定する（ステップＳ１０５）。そして、ステップＳ１０５において印刷エンジンＡ３１が優先指定されていると判定された場合、切替制御部２７は、印刷エンジンＡ３１のスコアＳＡを１加算し（ステップＳ１０７）、そうでない場合、つまり印刷エンジンＢ３２が優先指定されている場合、印刷エンジンＢ３２のスコアＳＢを１加算する（ステップＳ１０６）。そして、このステップＳ１０３〜Ｓ１０７の処理が、印刷エンジンの特性設定の全ての項目に対して繰り返される。
【００６０】
そして、全ての印刷特性の項目についての処理が終了すると、切替制御部２７は、スコアＳＡとスコアＳＢの値の大きさを比較し、スコアＳＡがスコアＳＢよりも大きい場合（ステップＳ１１０）、印刷エンジンＡのみで両面印刷を行うような切り替え制御を行う（ステップＳ１１１）。また、スコアＳＢがスコアＳＡよりも大きい場合（ステップＳ１１２）、切替制御部２７は、印刷エンジンＢのみで両面印刷を行うような切り替え制御を行う（ステップＳ１１３）。さらに、切替制御部２７は、スコアＳＡとスコアＳＢが等しい場合（ステップＳ１１０、Ｓ１１１においてともにＮｏ）、印刷エンジンＡ、印刷エンジンＢの両方で両面印刷を行うような切り替え制御を行う（ステップＳ１１４）。
【００６１】
[変形例]
なお、印刷エンジンＡ３１、印刷エンジンＢ３２のうちのいずれか一方のみで両面印刷を行う場合に、どちらの印刷エンジンを使用するかをユーザが設定できるようにしておいても良い。このような場合には、１つの印刷エンジンで両面印刷を行う場合には、常に設定された印刷エンジンが使用されることとなる。
【符号の説明】
【００６２】
１０    コントローラ
１１    ＣＰＵ
１２    メモリ
１３    記憶装置
１４    通信インタフェース（ＩＦ）
１５    ユーザインタフェース（ＵＩ）装置
１６    制御バス
２０    端末装置
２１    印刷ジョブ受信部
２２    印刷ジョブ格納部
２３    画像処理部
２４    判定部
２５    設定部
２６    表示装置
２７    切替制御部
２８    制御Ｉ／Ｆ部
３０    印刷装置
３１    印刷エンジンＡ
３２    印刷エンジンＢ
３３    給紙トレイ部
３４    排紙トレイ部
４１    画像形成ユニット
４２    用紙反転部
４３    切替部
４４    両面パス
【図１】
2011197862.tif 000003
【図２】
2011197862.tif 000004
【図３】
2011197862.tif 000005
【図４】
2011197862.tif 000006
【図５】
2011197862.tif 000007
【図６】
2011197862.tif 000008